(57)【要約】【課題】  編目を粗くしないで、グランド編地と同様な編目の大きさで、適度な伸縮性も備える、側端部を補強した編地の編成方法を提供する。【解決手段】  グランド編地となる身頃部３を筒状に編成し、Ｓ２では第一工程として、開口部となるＶ首部５の分岐部の右側の編成を編成する。ＦＤを使用し、グランド編地となる前身頃の右側を、開口部から離れた方から開口部に向って編成する。次に第二工程として、さらに袋組織部１の後針床側の編目列も２目分編成し、Ｓ３〜Ｓ４では、袋組織部１の後針床側編目列を、ＦＤからＢＵに、１編針間隔分右に寄せるように目移し、さらに前針床側編目列をＦＤで編成するように振分ける。Ｓ５では、第三工程として、ＢＵの編目を、ＦＤに目移しして前身頃のグランド編地と一列に並ぶ状態に退避させ、Ｓ６で、第四工程として、後身頃のグランド編地を編成する。【選択図】図１
2015004150.tif 000002
【特許請求の範囲】
【請求項１】
横編機を用いて開口部を備える筒状編地を編成する際に、袋組織を用いて、開口部の側端部を補強した編地の編成方法であって、
前後の針床の一方で、開口部の片側のグランド編地を、開口部から離れた方から開口部に向って編成する第一工程と、
一方の針床のうち、第一工程で編成したグランド編地を係止する編針よりも開口部側の編針と、他方の針床の編針とに、振分けて袋組織の編目列を編成する第二工程と、
一方の針床のうち、第一工程で編成したグランド編地を係止する編針よりも開口部側に、第二工程で他方の針床で編成した袋組織の編目列を目移しして、第二工程で一方の針床で編成した袋組織の編目列と一列に並べる第三工程と、
他方の針床で、開口部側のグランド編地に対向するグランド編地を編成する第四工程とを含み、
第一工程から第四工程までを順次繰返すことを特徴とする、側端部を補強した編地の編成方法。
【請求項２】
前記第二工程では、前記袋組織の前後針床間での渡り糸の長さを、前後の針床への振分け方で調整することを特徴とする請求項１記載の側端部を補強した編地の編成方法。
【請求項３】
前記袋組織の前記前後の針床への振分けは、対向する編目列の位置を、前記第三工程で一列に並べる際に移動する編針間隔の中間となるように、ずらして行うことを特徴とする、請求項１または２記載の側端部を補強した編地の編成方法。
【発明の詳細な説明】
【技術分野】
【０００１】
本発明は、横編機で複数層の編地の側端部を、補強して編成する方法に関する。
【背景技術】
【０００２】
従来から、横編機で編成するセーターなどの衣類では、襟や前立て等の側端部は、厚みを持った組織で補強するように編成されている。厚みを持った組織としては、表裏二層の袋組織などが用いられる。横編機では、衣類を筒状に一体的に編成することができる。筒状の編地の襟や前立ては、開口部の側端部に形成される。
【０００３】
図５は、袋組織部１を側端部に形成し、その内側にガーター組織部２を設け、身頃部３との境界に目減らしライン４を設けたＶ首部５の編成組織を拡大して示す。図５（ａ）は表側、図５（ｂ）は裏側の組織を示す。身頃部３が前身頃ばかりではなく後身頃も一体的に編成する筒状編地の場合は、前後でそれぞれ上下にも針床を備える四枚ベッドの横編機を使用しても、総針で袋組織部１を編成することができず、針抜き編成になってしまい、編目が粗くなる。四枚ベッドの横編機でも、たとえば後身頃の編地を後下段の針床で編成する場合、後上段の針床は空けておく必要がある。後上段から前上段に直接目移しすることはできないので、後上段の針床で係止する編目を前下段の針床の空針に退避させる必要から、前下段では針抜き編成を行う必要がある。
【０００４】
図６は、側端部を図５のような袋組織部１ではなく、補強編部６で補強する例を示す（たとえば、特許文献１参照）。図６（ａ）は表側、図６（ｂ）は裏側の組織を示す。特許文献１では、Ｖ首の分岐部の強化に伴い、分岐部に連続する編地の側端部の強化も必要となり、厚手で伸縮性の少ない、しっかりした補強編部６を編成している。補強編部６では、捻り目を用いて増し目を形成し、側端部の編目と合せて袋組織を形成するけれども、袋組織の前後の編目を重ねてしっかりとさせる。編目を重ねた状態で、編地の寄せなどの移動を行う。編地を重ねた状態では、一つの針床で保持することができるので、四枚ベッドの横編機を使用すれば、後身頃を編成する際の退避を行うことができる。
【先行技術文献】
【特許文献】
【０００５】
【特許文献１】特開２０１１−１９０５５６号公報
【発明の概要】
【発明が解決しようとする課題】
【０００６】
図５に示すような針抜き編成による袋組織部１は、総針で編成する身頃部３などのグランド編地に比較して編目が粗くなってしまう。図６に示すような補強編部６は、図６（ａ）に示すように、表側からは図５（ａ）のような袋組織部１と同様な編目で、しかも目が細かく見えるけれども、図６（ｂ）に示すように、裏側から見ると異なった組織となる。また、補強編部６では、しっかりとした端部が必要とされているため、伸縮性が抑えられている。
【０００７】
本発明の目的は、編目を粗くしないで、グランド編地と同様な編目の大きさで、適度な伸縮性も備える、側端部を補強した編地の編成方法を提供することである。
【課題を解決するための手段】
【０００８】
本発明は、横編機を用いて開口部を備える筒状編地を編成する際に、袋組織を用いて、開口部の側端部を補強した編地の編成方法であって、
前後の針床の一方で、開口部の片側のグランド編地を、開口部から離れた方から開口部に向って編成する第一工程と、
一方の針床のうち、第一工程で編成したグランド編地を係止する編針よりも開口部側の編針と、他方の針床の編針とに、振分けて袋組織の編目列を編成する第二工程と、
一方の針床のうち、第一工程で編成したグランド編地を係止する編針よりも開口部側に、第二工程で他方の針床で編成した袋組織の編目列目移しして、第二工程で一方の針床で編成した編み組織の編目列と一列に並べる第三工程と、
他方の針床で、開口部側のグランド編地に対向する側のグランド編地を編成する第四工程とを含み、
第一工程から第四工程までを順次繰返すことを特徴とする、側端部を補強した編地の編成方法である。
【０００９】
また本発明の前記第二工程では、前記袋組織の前後針床間での渡り糸の長さを、前後の針床への振分け方で調整することを特徴とする。
【００１０】
また本発明で、前記袋組織の前記前後の針床への振分けは、対向する編目列の位置を、前記第三工程で一列に並べる際に移動する編針間隔の中間となるように、ずらして行うことを特徴とする。
【発明の効果】
【００１１】
本発明によれば、横編機を用いて開口部を備える筒状編地を編成する際に、袋組織を用いて、開口部の側端部を補強することができる。袋組織の編目列は、前後の針床に振分けて編成した後、他方の針床で編成した編目列を、一方の針床で、グランド編地と一列に並べる状態で退避させる。袋組織のうち他方の針床に振分ける編目列を、一方の針床で編地を係止していない、グランド編地の開口部側に退避させるので、針抜きで空き針を用意しておく必要はない。袋組織の編目列は、総針で、ウエール方向に連続させて編成することができるので、編目を粗くしないで、グランド編地と同様な編目の大きさで、適度な伸縮性も備える、側端部を補強した編地を編成することができる。
【００１２】
また本発明によれば、袋組織を編成する際に、前後の針床に編目列を振分ける状態で渡り糸の長さを変化させ、側端部の編目のしまり状態を調整することができる。
【００１３】
また本発明によれば、第三工程での編目列の移動の際に、編糸にかかる負担を軽減することができる。
【図面の簡単な説明】
【００１４】
【図１】図１は、本発明の一実施例として編成する袋組織部１を含むＶ首セーター１０のＶ首部５の構成を示す簡略化した正面図、および概略的な編成図である。
【図２】図２は、図１のＳ４の一部と、Ｓ５でグランド編地の開口部側に袋組織の編目列を一列に並べて退避させる状態と、を示す編成図である。
【図３】図３は、図１の袋組織部１を前後の針床に振分ける状態を調整する例を示す編成図と、袋組織部１の傾斜に合わせて使い分ける例とを示す正面図である。
【図４】図４は、図１のＶ首部５の編組織を示す図である。
【図５】図５は、針抜き編成による袋組織部１を示す図である。
【図６】図６は、先行技術を適用した補強編部６の編組織を示す図である。
【発明を実施するための形態】
【００１５】
以下、図１〜図４で本発明の一実施例について説明する。各図の説明では、従来技術に関する図５および図６も含めて、先に説明した部分に対応する部分には同一の参照符を付し、重複する説明を省略する場合がある。また、各図の説明では、当該図面には存在せずに先に説明する図には存在する符号を用いて説明する場合がある。
【実施例】
【００１６】
図１は、（ａ）で、本発明の一実施例としての側端部を補強した編地の編成方法を適用して編成した袋組織部１を含むＶ首セーター１０の外観を示す。Ｖ首セーター１０は、首の部分が開口部となる筒状編地であり、袋組織部１は開口部の周縁となり、中心線１０ｃに関して左右対称に編成する場合を想定する。袋組織部１で、コース方向で開口部から離れる側には、ガーター組織部２が続いて、Ｖ首部５が形成される。Ｖ首部５は、コース方向について開口部から離れる側で、グランド編地としての身頃部３に続く。V首部５では、一定の編目数で、身頃部３の編幅を減少させる目減らしを行っているので、身頃部３との境界には、目減らしライン４が形成されている。
【００１７】
図１（ｂ）は、Ｖ首部５を、四枚ベッドの横編機を用いて編成する手順を概略的に示す。なお、四枚ベッドの各針床は、前針床の下段および上段をＦＤ，ＦＵでそれぞれ示し、後針床の下段および上段をＢＤ，ＢＵでそれぞれ示す。また、手順は、便宜上、Ｓ１〜Ｓ１５に分けて示し、Ｖ首部５の全体を編成するためには、Ｓ１〜Ｓ１５を繰返す。Ｓ１〜Ｓ１５の各段階は、１回または複数回のキャリッジ走行で実現される。
【００１８】
まず、グランド編地となる身頃部３を筒状に編成するため、Ｓ１では、ＢＤの左側から右側に後身頃を編成する。次のＳ２では、第一工程として、前後の一方の針床としてのＦＤで、開口部側のグランド編地である前身頃のうち中心線１０ｃの右側部分を、開口部から離れた編端から開口部に向って編成する。
【００１９】
第二工程では、袋組織部１の編目列を、前後の針床に振分けて編成する。まず、Ｓ２の最後に、袋組織部１の開口部側端部となる２目の編目を、ＦＤのグランド編地の開口部側に編成する。この編目を、ＦＤからＢＵに、１ピッチ分右に寄せるように目移しした後、目移ししたＢＵの編目に、袋組織部１の後針床側編目列として、新たな編目を形成する。Ｓ３では、袋組織部１の前針床側編目列をＦＤで２目分編成する。Ｓ４では、Ｓ３で編成してＦＤで係止する編目列の右端の編目にタックして、ＢＵで袋組織部１の後針床側の編目列を２目編成する。
【００２０】
図２は、図１のＳ４の一部と、Ｓ５とを、四枚ベッドの横編機で編成する場合の編針の使用状態を示す。編針の位置は、中心線１０ｃの右側で、上下の前針床ＦＵ，ＦＤをＡ〜Ｌ，上下の後針床ＢＵ，ＢＤをａ〜ｌとしてそれぞれ示す。ただし、中心線１０ｃの左側の編針の位置は、Ａ〜Ｉ，ａ〜ｉのみを示す。また、編成される編目は丸印、タックはＶ印でそれぞれ示し、編成直後であれば、黒丸印と太線のＶ印とで示す。
【００２１】
Ｓ４ａは、Ｓ４の一部として、ＢＵで袋組織部１の後針床側の編目列を２目編成した後、ガーター組織部２の編目をＦＤの編針Ｆ，ＧからＢＵの編針ｆ，ｇに目移しした状態を示す。Ｓ４ｂでは、ＦＤの編針Ｃ，Ｄ，Ｅで袋組織部１の前針床側の編目列を３目編成して第二工程を終了する。続いて、開口部から離れる側に続くガーター組織部２の編目をＢＵの編針ｆ，ｇで２目編成してから、さらにＦＤの編針Ｈ，Ｉ，Ｊ，Ｋ，Ｌでグランド編地となる身頃部３の編目を開口部から離れる側に編成する。第二工程の全体として、袋組織部１は、ＦＤの編針Ｃ，Ｄ，Ｅに３目、ＢＵの編針ｂ，ｃに２目が振分けられて、２周分が編成される。また、ＢＵ側の編目列は、対向するＦＤ側の編目列よりも、１編針間隔分だけ左方にずらしている。
【００２２】
次に、Ｓ５では、第三工程として、一方の針床であるＦＤで、第一工程で編成したグランド編地の開口部側に、第二工程で前後の針床に振分けて編成した袋組織部１の編目列を、一列に並べる。ＢＵの編針ｂ，ｃで係止する編目は、ＦＤの編針Ａ，Ｂに１編針間隔分だけ左に移動させる。なお、ＢＵの編針ｆ，ｇで係止するガーター組織部２編目も、ＦＤの編針Ｆ，Ｇに移動する。これらの移動で後針床側の編目列は、ＢＵからＦＤに退避する。
【００２３】
次に、前後の他方の針床で、開口部に対向する側のグランド編地を編成する第四工程として、図１（ｂ）に示すように、Ｓ６でＢＤの編針Ｌから左側にグランド編地の後身頃を編成することができる。ＦＤに退避した編目は、重ならずに一列に並ぶので、次に第二工程で、袋組織部１の後針床側および前針床側の編目列として、分離が可能な状態になっている。
【００２４】
以下、Ｓ７〜Ｓ１１では、前身頃のうちで中心線１０ｃの左側となる部分の編成を、Ｓ２〜Ｓ６とそれぞれ、左右対称となるように行う。Ｓ１２では、後身頃を１コース分編成する。Ｓ１３では、ＦＤに退避している編目列のうち、目減らしライン４よりも開口部側となる編目列を、ＢＵに目移しする。Ｓ１４では中心線１０ｃの右側部分、Ｓ１５では中心線１０ｃの左側部分を、２編針間隔分ずつ編幅方向の外方に寄せて、ＢＵからＦＤに目移しして戻す。以下、開口部側端部の間隔をあけながら、Ｓ１〜Ｓ１５を順次繰返して、一定の角度で傾斜するＶ首部５を編成することができる。
【００２５】
図３は、（ａ）〜（ｄ）で図１の袋組織部１を前後の針床に振分ける状態を調整する例を示し、（ｅ）および（ｆ）は、各例を使い分けたＶ首部１１；２１ａ，２１ｂ，２１ｃ，２１ｄをそれぞれ示す。各例では、袋編みとしての編糸の周長が異なるので、Ｖ首部１１，２１ａ，２１ｂのように傾斜が急であれば周長を短く、Ｖ首部２１ｃ，２１ｄのように傾斜が緩ければ周長を長く調整する。このような周長の使い分けで、側端部の形成で目減らしなどを伴う際の傾斜に応じて、適切な編糸の緊張状態を得ることができる。
【００２６】
図３（ａ）および（ｃ）では、編目列を前後の針床に振り分ける際に、前針床の編目列に対して、後針床の編目列を１編針間隔分だけ左に寄せておく状態となる。本実施例のＳ５のように、ＦＤに編目を一列に並べてＢＵから退避させる際には、ＢＵに係止している２目の編目列を１編針間隔分だけ左に寄せて、ＦＤの編針に移動する。片側２目の編目列の一方を２編針間隔分だけ移動させて一列に並べるとしても、予め１編針間隔分だけ編目列がずれるように振分けているので、前後の針床間の渡り糸も長くなり、移動の際に、編糸にかかる負担を軽減することができる。
【００２７】
図３（ｂ）および（ｄ）では、編目列を前後の針床に振り分ける際に、前針床の編目列に対して、後針床をずらせないようにしておく。ＦＤに編目列を退避させて一列に並べる際には、後針側を前針床側の左に寄せるように目移しする。
【００２８】
図３（ｅ）のＶ首部１１は、図３（ａ）のみの編成を袋組織部１として繰返すことによって編成する。図３（ｆ）のＶ首部２１ａ，２１ｂは、図３（ａ）（ｃ）の編成、図３（ｂ）（ｄ）の編成を、袋組織部１としてそれぞれ交互に繰返して編成する。Ｖ首部２１ｃは、図３（ｂ）のみの編成を袋組織部１として繰返すことによって編成する。Ｖ首部２１ｄは、図３（ｂ）（ｄ）の編成を、袋組織部１として交互に繰返して編成する。
【００２９】
袋組織部１は、前後の針床に２目以上の編目列をそれぞれ振分けて編成する。２目と３目とを振分けることもできる。編目数が多くなると、退避させるために一列に並べる際の移動も大きくなる。振分ける際に、２、３編針間隔分の移動に対して１目など、移動させる編目数の中間となる編目数だけずらして編成することで、第三工程での編目列の移動の際に、編糸にかかる負担を軽減することができる。
【００３０】
図４は、図１のＶ首部５の編組織を示す。本実施例で編成した袋組織部１は、身頃部３などのグランド編地と同様に、編目を細かくすることができる。図４（ａ）に示す表側も、図４（ｂ）に示す裏側も、同様に表目がウエール方向に連続する袋編みとなる袋組織部１を得ることができ、適度な伸縮性を備えて、側端部を補強した編地を編成することができる。
【００３１】
なお、本発明を適用して補強することができる編地の側端部としては、襟や前立て等ばかりではなく、編地に孔をあけた場合の縁取りなどを含めることもできる。袋組織部１と目減らしライン４との間には、ガーター組織部２ばかりではなく、他の組織を形成することもできる。また、袋組織部１のみを目減らしライン４まで形成することもできる。さらに、目減らしを行わず、グランド編地のコース方向に袋組織部１のウエール方向が垂直となるようにすることもできる。
【符号の説明】
【００３２】
１  袋組織部  
３  身頃部
５，１１，２１ａ，２１ｂ，２１ｃ，２１ｄ  Ｖ首部
１０  Ｖ首セーター
【図１】
2015004150.tif 000003
【図２】
2015004150.tif 000004
【図３】
2015004150.tif 000005
【図４】
2015004150.tif 000006
【図５】
2015004150.tif 000007
【図６】
2015004150.tif 000008